(57)【特許請求の範囲】
【請求項１】
リモコンには足し湯スイッチを設け、出湯温度の設定を自動お湯張りの設定温度とし、前記出湯温度をスイッチによって変更できるものとし、足し湯を開始すると、予め設定した量のお湯を、設定温度で給湯し、前記足し湯の出湯温度を変更しても、次に足し湯を開始したときは、前記自動お湯張りの設定温度とすることを特徴とする風呂用給湯機。
【請求項２】
足し湯が終了すると、足し湯の設定温度で追焚することを特徴とする請求項１に記載の風呂用給湯機。
【発明の詳細な説明】
【０００１】
【発明の属する技術分野】
本発明は、風呂用給湯機に関する。
【０００２】
【従来の技術】
近年、家庭用の風呂用給湯機は、自動でお湯を張る機能、さめたお湯を温め直す追い炊きの機能、少なくなったお湯に追加する足し湯機能などが付加されており、大変便利になっている。
このうち、足し湯機能は、リモコンに設けた足し湯スイッチを操作することによって起動できるが、その設定温度は、自動お湯張りの機能で設定した温度に固定されているのが通常である。
【０００３】
【発明が解決しようとする課題】
このような従来の技術では、足し湯機能が、自動お湯張りの設定温度と同じ温度でしか起動せず、足し湯温度を使用者が好みの湯温に設定できないという課題があった。
また、単に、設定温度を、足し湯機能の起動に伴って変更しても、変更した設定温度が次の足し湯のときに残っていると、家庭内の複数の同居人の好みの設定温度でないことが多く、例えば、ぬるいお湯を早く温めるために６０℃というような高温で足し湯をすることがあるかもしれず、次に足し湯するときに、いきなり高温のお湯が出ると危険な場合もあるという課題があった。
【０００４】
本発明は、足し湯運転のときに、使用者に安全でかつ快適な使い勝手の良い風呂用給湯機を提供することを目的とする。
【０００５】
【課題を解決するための手段】
本発明の風呂用給湯機は、リモコンには足し湯スイッチを設け、出湯温度の設定を自動お湯張りの設定温度とし、前記出湯温度をスイッチによって変更できるものとし、足し湯を開始すると、予め設定した量のお湯を、設定温度で給湯し、前記足し湯の出湯温度を変更しても、次に足し湯を開始したときは、前記自動お湯張りの設定温度とすることを特徴とする。
【０００６】
【発明の実施の形態】
本発明の給湯機には、燃焼機と燃焼制御装置とからなる給湯機本体と、少なくとも浴室に設置される浴室リモコンとからなるものであればどのようなものでも適用できる。
この浴室リモコンには、給湯温度、給湯量、等の給湯設備の各種設定のためのスイッチと、設定した値、あるいはそのときのお湯の温度などを表示する表示器と、設定値を燃焼制御機に通信したり、燃焼制御機の状態を受信したりするための通信機能と、自動にお湯を張る機能、足し湯の機能、あるいは追い炊きの機能を起動するスイッチ、表示器、及び通信機能を制御するためのマイコン制御部からなるものを用いることができる。
【０００７】
このときに、足し湯の機能を起動したときの、出湯温度の設定を自動お湯張りの設定温度とするには、お湯張りの設定温度を記憶する手段を、足し湯のときの出湯温度の設定値に使えるようにプログラムすることによって可能となる。
【０００８】
その温度をスイッチによって変更できるものとするには、設定温度の変更ができるようにプログラムすることによって可能となる。
【０００９】
足し湯を開始すると、予め設定した量のお湯を、設定温度で給湯するには、予め足し湯の量を設定できるようにし、その設定した量になると、燃焼を停止し、給湯のための電磁弁を閉じる制御を行うようにプログラムすることによって可能である。
【００１０】
足し湯が終了すると、足し湯の設定温度で追焚すれば、目分量で足し湯の温度を設定しなくても、自分の希望の温度を設定すればよく、さらに足し湯したり水を入れることなく希望のお湯を使うことができ、好ましい。
この機能は、足し湯の終了した後に、設定温度をそのまま使用して追い炊きするプログラムを続行するようにプログラムすることで実現することができる。
【００１１】
【実施例】
実施例１
（概要）
本発明の実施例として、図２に示すように、浴室内に設置される給湯機本体１０３と、浴槽１０１と、給湯機本体１０３と混合水栓１１０に給水する給水元栓１０２と、給湯機本体１０３内の燃焼制御回路に電源を供給するための電源コンセント１０４と、給湯機本体１０３内の燃焼機に燃料を供給するガス元栓１０５と、給湯機本体１０３から循環金具１０８を介して浴槽１０１にお湯を送る湯配管１０６と、温度の下がったお湯を循環しながら加熱するときの温度の下がったお湯を給湯機本体１０３に戻す戻り配管１１１と、シャワーヘッド１１３やカラン１０９からお湯を取り出すための混合水栓１１０にお湯を送る給湯配管１１２と、浴室リモコン１と、浴室リモコン１と給湯機本体１０３内の燃焼制御回路を接続する通信ケーブル４からなる風呂装置を用いた。
【００１２】
（浴室リモコン）
この浴室リモコン１には、図１に示すように、給湯温度、給湯量、等の給湯設備の各種設定を行うスイッチとして、運転スイッチ１９１、自動スイッチ１９２、おいだきスイッチ１９３、風呂温度を下げる風呂∨スイッチ１９４，風呂温度を上げる風呂∧スイッチ１９５、給湯温度を下げる給湯∨スイッチ１９６，給湯温度を上げる給湯∧スイッチ１９７、足し湯する足し湯スイッチ１９８が設けられている。また、表示装置として、運転していることを示す運転ランプ１８１、自動お湯張りをしていることを示す自動ランプ１８２、おいだき運転していることを示すおいだきランプ１８３、足し湯していることを示す足し湯ランプ１８４、及び、風呂温度を示す７セグメント２桁の風呂温度ＬＥＤ１８５、時刻を示す７セグメント２桁＋コロン＋２桁の時刻ＬＥＤ１８６、給湯温度を示す７セグメント２桁の給湯温度ＬＥＤ１８７からなる第１の表示器１１が設けられている。この第１の表示器１１は、設定した値を表示し、設定操作をしていないときには、表示を消すようにプログラムされている。この浴室リモコン１の内部のマイコン制御部は、図示しないが、ＲＡＭとＲＯＭを備えたＣＰＵであり、そのＣＰＵには、表示器１１と、通信回路と、各スイッチ及びランプを駆動するための電流バッファアンプとしてのトランジスタアレイが接続されている。そのトランジスタアレイを介して、電源が、各ＬＥＤと各ランプに接続されている。また、そのＣＰＵ内のＲＯＭには、以下のプログラムが収められている。すなわち、給湯温度、給湯量、時刻等の給湯設備の各種設定を行うスイッチからの入力に応じて設定データをＲＡＭに記憶するプログラム、そのデータを給湯機本体１０３内の燃焼制御回路３に送信するために、通信回路を制御するプログラム、各設定を行うスイッチに応じたデータを表示するプログラム、給湯機本体１０３内の燃焼制御回路３からのデータを受信するために通信回路を制御するプログラム、各スイッチからの入力がない状態が１０秒以上続くと、各ＬＥＤを消すプログラム、足し湯スイッチが押されると、自動お湯張りの設定温度を使って足し湯を開始するプログラムである。
【００１３】
（給湯機本体）
給湯機本体１０３は、図３に示すように、メイン熱交換器３２５、そのメイン熱交換器３２５を加熱するメインガスバーナ３０９、メインガスバーナ３０９を着火するグナイタ３２４に接続されたメイン点火器３３０、サブ熱交換器３２６、そのサブ熱交換器３２６を加熱するサブガスバーナ３１０、サブガスバーナ３１０を着火するイグナイタ３２４に接続されたサブ点火器３３１、ガスの供給を開始／閉止する元電磁弁３１８、メインガスバーナ３０９に供給するガスを供給するメインガス電磁弁３２０、さらにメインガスバーナの補助バーナにガスを供給する第１の切替電磁弁３２１及び第２の切替電磁弁３２２、サブガスバーナ３１０にガスを供給するサブガス電磁弁３２３、バーナに供給するガス供給量を調整するガス比例弁３１９、ガスバーナに空気を供給するファン３０６、給水を開始／閉止する給湯電磁弁３１１、給水量を調整すると共に装置を停止したときに内部に残った水を排水する給水量調整弁３１２、メインガスバーナ３０９が燃焼していることを検知するメインフレームロッド３０７、サブガスバーナ３１０が燃焼していることを検知するサブフレームロッド３０８、加熱された湯の温度を検知する出湯サーミスタ３０５、加熱する前の水温を検知する給水サーミスタ３１６、ガスの供給量を検知するガス流量センサ（図示せず。）、給水・加熱する水量を検知する水量センサ３１７、おいだきを行うためのおいだき電磁弁３１３、おいだきの給湯量を検知するおいだき給湯流量センサ３１４、おいだきの温度を検知するおいだきサーミスタ３１５と、燃焼制御回路３とからなり、燃焼制御回路は、図示しないが、マイコン制御部と通信回路からなる。このマイコン制御部は、ＲＯＭとＲＡＭを内部に有するＣＰＵと、上記、イグナイタ３２４、メインガス電磁弁３２０、サブガス電磁弁３２２、第１の切替電磁弁３２１，第２の切替電磁弁３２２、ガス比例弁３１９、給湯電磁弁３１１、給水量調整弁３１２、おいだき電磁弁３１３を駆動するトランジスタ回路と、メインフレームロッド３０７、サブフレームロッド３０８、出湯サーミスタ３０５、給水サーミスタ３１６、ガス流量センサ、水量センサ３１７、おいだき給水量センサ３１４、おいだきサーミスタ３１５が接続されている。そのＣＰＵの内部のＲＯＭには、浴室リモコン１から送信されたデータを受信するために、通信回路を制御するプログラム、その受信したデータに基づいて、通常の給湯／おいだき／足し湯の選択、ガス供給、着火、給水、水温の検知、湯温度の検知、設定値との比較、給水量調整、湯温度の検知を行うプログラムが収められている。
メイン熱交換器３２５で加熱されたお湯は、給湯栓１３１を開くと給湯配管１１２を経てカラン１０９又はシャワーヘッド１１３から出湯することができ、カラン１０９から出湯するかシャワーヘッド１１３出湯するかは、シャワー／カラン切替器で選択することができる。
お湯張りは、自動スイッチで行い、メイン熱交換器３２５で加熱されたお湯が、開いた給湯電磁弁３１１を通過し、湯配管１０６を通って、浴槽１０１に注がれる。おいだきは、浴槽１０１内のお湯を再加熱するもので、循環金具１０８から吸い込まれたお湯が、戻り配管１１１から開いたおいだき電磁弁３１３を通り、サブ熱交換器３２６で加熱され、湯配管１０６で浴槽１０１に戻される。
【００１４】
（給湯機の動作例）
浴室リモコン１の運転スイッチ１９１を押し、運転状態にすると、運転ランプ１８１が「緑」に点灯し、同時に第１の表示器１１に、給湯設定温度が点灯表示される。給湯栓３１を開けると、給湯機本体１０３内に水が流れ、水量センサ３１７が、水量に応じたパルスを発生し、燃焼制御回路３の第３のＣＰＵ３２によって給水流量が算出される。燃焼に必要な水量を検知すると、ファン３０６が作動し、プリパージを開始する。所定時間のプリパージ経過後、元電磁弁３１８、メインガス電磁弁３２０、比例弁３１９を開弁し、イグナイタ３２４を高圧放電し、点火器３３０でメインガスバーナ３０９を点火する。メインフレームロッド３０７で炎を検知すると、運転ランプ１８１が「赤」に替わり給湯燃焼を表示し、イグナイタ３２４が停止する。以降、燃焼制御回路３の第３のＣＰＵが、給水サーミスタ３１６による入水温度、出湯サーミスタ３１５による出湯温度、水量センサ３１７による給水量を検出し、演算し、設定給湯温度に応じたガス量、ファン風量をコントロールする。また、給湯能力に応じて、第１の切替電磁弁３２１、第２の切替電磁弁３２２を開弁／閉弁する。
このときに、給湯設定温度データは、給湯機本体１０３の燃焼制御回路３の第３のＣＰＵ内のメモリに格納されていると共に、常時、それぞれのリモコンに対し、通信ケーブル４を介して送信されている。リモコンは、現時点の給湯温度を受信すると共に、その表示器に表示している。
足し湯スイッチを押すと、お湯張りが終わった後に、燃焼制御回路３の第３のＣＰＵ内のＲＡＭに残された給湯温度をそのまま使用し、足し湯ランプ１８４が「緑」に点灯し、同時に第１の表示器１１に、給湯設定温度が点灯表示される。このときに、給湯温度を、給湯∨スイッチ１９６および／または給湯∧スイッチ１９７を用いて変更できる。そして、給湯栓３１を開けると、給湯機本体１０３内に水が流れ、水量センサ３１７が、水量に応じたパルスを発生し、燃焼制御回路３の第３のＣＰＵ３２によって給水流量が算出される。燃焼に必要な水量を検知すると、ファン３０６が作動し、プリパージを開始する。所定時間のプリパージ経過後、元電磁弁３１８、メインガス電磁弁３２０、比例弁３１９を開弁し、イグナイタ３２４を高圧放電し、点火器３３０でメインガスバーナ３０９を点火する。メインフレームロッド３０７で炎を検知すると、足し湯ランプ１８４が「赤」に替わり給湯燃焼を表示し、イグナイタ３２４が停止する。以降、燃焼制御回路３の第３のＣＰＵが、給水サーミスタ３１６による入水温度、出湯サーミスタ３０５による出湯温度、水量センサ３１７による給水量を検出し、演算し、設定給湯温度に応じたガス量、ファン風量をコントロールする。また、給湯能力に応じて、第１の切替電磁弁３２１、第２の切替電磁弁３２２を開弁／閉弁する。そして、足し湯が終了すると、給水電磁弁３１１を閉じ、元電磁弁３１８を閉じ、ファン３０６が作動し、ポストパージを開始する。所定時間のポストパージ経過後、メインガス電磁弁３２０を閉じ、メインフレームロッド３０７で炎を検知しないことを確認した後に、運転を停止する。
【００１５】
実施例２
構成は、実施例１と同じであるが、プログラムとして、おいだきスイッチ１９３と足し湯スイッチ１９８とを、ほぼ同時に押すと、足し湯の後に追い炊きするように設定したプログラムが起動する。
このおいだきスイッチ１９３と足し湯スイッチ１９８とは、どちらかのスイッチを押して２秒以内であれば、もう一方のスイッチを押しても、足し湯／追い炊きのプログラムが起動するように設定した。
動作は、実施例１と同じであるが、上記の「足し湯／追い炊き」の場合は、次のような動作となる。
おいだきスイッチ１９３と足し湯スイッチ１９８を押すと、お湯張りが終わった後に、燃焼制御回路３の第３のＣＰＵ内のＲＡＭに残された給湯温度をそのまま使用し、足し湯ランプ１８４とおいだきランプ１８３の両方が「緑」に点灯し、同時に第１の表示器１１に、給湯設定温度が点灯表示される。このときに、給湯温度を、給湯∨スイッチ１９６および／または給湯∧スイッチ１９７を用いて変更できる。そして、給湯栓３１を開けると、給湯機本体１０３内に水が流れ、水量センサ３１７が、水量に応じたパルスを発生し、燃焼制御回路３の第３のＣＰＵ３２によって給水流量が算出される。燃焼に必要な水量を検知すると、ファン３０６が作動し、プリパージを開始する。所定時間のプリパージ経過後、元電磁弁３１８、メインガス電磁弁３２０、比例弁３１９を開弁し、イグナイタ３２４を高圧放電し、点火器３３０でメインガスバーナ３０９を点火する。メインフレームロッド３０７で炎を検知すると、足し湯ランプ１８４が「赤」に替わり給湯燃焼を表示し、イグナイタ３２４が停止する。以降、燃焼制御回路３の第３のＣＰＵが、給水サーミスタ３１６による入水温度、出湯サーミスタ３０５による出湯温度、水量センサ３１７による給水量を検出し、演算し、設定給湯温度に応じたガス量、ファン風量をコントロールする。また、給湯能力に応じて、第１の切替電磁弁３２１、第２の切替電磁弁３２２を開弁／閉弁する。そして、足し湯が終了すると、給水電磁弁３１１を閉じ、おいだき水量調整弁を開き、元電磁弁３１８を閉じ、ファン３０６が作動し、ポストパージを開始する。所定時間のポストパージ経過後、メインガス電磁弁３２０を開き、メインフレームロッド３０７で炎を検知しないことを確認した後に、ファン３０６が再び作動し、プリパージを開始する。このときに足し湯ランプ１８４は「緑」に戻る。所定時間のプリパージ経過後、元電磁弁３１８、サブガス電磁弁３２３、比例弁３１９を開弁し、イグナイタ３２４を高圧放電し、点火器３３１でサブガスバーナ３１０を点火する。サブフレームロッド３０８で炎を検知すると、追い炊きランプ１８３が「赤」に替わり給湯燃焼を表示し、イグナイタ３２４が停止する。以降、燃焼制御回路３の第３のＣＰＵが、おいだきサーミスタ３１５による出湯温度を検出しながら、おいだき水量センサ３１４による水流の検出を行い、水流がないときは、「からだき」と判断して緊急停止する。水流が検出されれば、足し湯のときに設定した給湯温度に応じたガス量、ファン風量をコントロールして燃焼を続け、設定温度になったことを、おいだきサーミスタ３１５が検出すると、元電磁弁３１８を閉じ、ファン３０６が作動し、ポストパージを開始する。所定時間のポストパージ経過後、サブガス電磁弁３２３を閉じ、サブフレームロッド３０８で炎を検知しないことを確認した後に、おいだき水量調整弁３１３を閉じ、運転を停止する。
【００１６】
上記実施例では、例えば、前に風呂に入った人が、浴室リモコン１の給湯温度を６０℃にして足し湯をしていても、次の人が足し湯を開始したときには、お湯張りの設定温度になっており、急にあついお湯がでない。
また、本発明の請求項２においては、所定量の足し湯終了後、強制循環による追焚手段を用い、自動的に足し湯温度までの追焚を行う手段を追加するので、希望する温度のお湯が一度のリモコン操作で得られ、非常に使い勝手が良い。
【００１７】
【発明の効果】
以上に説明したように、本発明によって、足し湯運転のときに、使用者に安全でかつ快適な使い勝手の良い風呂用給湯機を提供することができる。
【図面の簡単な説明】
【図１】本発明の一実施例を示すに用いた浴室リモコンの外観を示す正面図である。
【図２】本発明の一実施例の概要を示す斜視図である。
【図３】本発明の一実施例に用いた給湯機本体の構造を示す構成図である。
【符号の説明】
１．浴室リモコン                  １１．表示器
１８１．運転ランプ                １８２．自動ランプ
１８３．おいだきランプ            １８４．足し湯ランプ
１８５．ふろ温度ＬＥＤ            １８６．時刻ＬＥＤ
１８７．給湯温度ＬＥＤ            １９１．運転スイッチ
１９２．自動スイッチ              １９３．おいだきスイッチ
１９４．風呂∨スイッチ            １９５．風呂∧スイッチ
１９６．給湯∨スイッチ            １９７．給湯∧スイッチ
１９８．足し湯スイッチ
３．燃焼制御回路
４．通信ケーブル
１０１．浴槽                      １０２．給水元栓
１０３．給湯機本体                １０５．ガス元栓
１０６．湯配管                    １０８．循環金具
１０９．カラン                    １１０．混合水栓
１１１．戻り配管                  １１２．給湯配管
１１３．シャワーヘッド            １３１．給湯栓
１３２．給水栓                    １３３．シャワー／カラン切替器
３０５．出湯サーミスタ            ３０６．ファン
３０７．メインフレームロッド      ３０８．サブフレームロッド
３０９．メインガスバーナ          ３１０．サブガスバーナ
３１１．給水電磁弁                ３１２．給水量調整弁
３１６．給水サーミスタ            ３１７．水量センサ
３１３．おいだき水量調整弁        ３１４．おいだき水量センサ
３１５．おいだきサーミスタ        ３１８．ガス電磁弁
３１９．ガス比例弁                ３２０．メインガス電磁弁
３２１．第１の切替電磁弁          ３２２．第２の切替電磁弁
３２３．サブガス電磁弁            ３２５．メイン熱交換器
３２６．サブ熱交換器              ３３０．メイン点火器
３３１．サブ点火器
【図１】
0004029247.tif 000002
【図２】
0004029247.tif 000003
【図３】
0004029247.tif 000004